(57)【特許請求の範囲】
【請求項１】
登録地の位置を表す登録地位置情報と、登録地の名称または電話番号のいずれか一方または両方を表す登録地特定情報とを少なくとも含み、ユーザにより登録地データ記憶媒体に予め登録された登録地データに基づいて目的地を選択することができる車載情報端末において、
前記登録地データを外部から読み込む登録地データ読み込み手段と、
施設の位置を表す施設位置情報と、施設の名称または電話番号のいずれか一方または両方を表す施設特定情報とを少なくとも含み、予め記憶されている施設データを読み込む施設データ読み込み手段と、
前記登録地データ読み込み手段で読み込まれた登録地データと、前記施設データ読み込み手段で読み込まれた施設データとを比較する比較手段と、
前記比較手段による比較結果に基づき、読み込まれた登録地データの中から選択された対象登録地データおよびこの対象登録地データと比較される比較施設データについて、前記登録地位置情報と前記施設位置情報の内容が一致するか否かを判定するとともに、前記登録地特定情報と前記施設特定情報の内容が一致するか否かを判定する判定手段と、
前記登録地位置情報と前記施設位置情報の内容が一致せず、前記登録地特定情報と前記施設特定情報の内容が一致することが前記判定手段により判定された対象登録地データについては、その登録地位置情報の内容を前記比較施設データの施設位置情報に合わせて補正することにより、前記対象登録地データを更新する更新手段と、
前記更新手段により更新された登録地データを前記登録地データ記憶媒体に記憶する記憶制御手段とを備えることを特徴とする車載情報端末。
【請求項２】
請求項1の車載情報端末において、
前記更新手段は、前記登録地位置情報と前記施設位置情報の内容が一致し、前記登録地特定情報と前記施設特定情報の内容が一致しないことが前記判定手段により判定された対象登録地データについて、その登録地特定情報の内容を、前記比較施設データの施設特定情報に合わせて補正することにより、当該対象登録地データを更新することを特徴とする車載情報端末。
【請求項３】
請求項１または２の車載情報端末において、
前記登録地位置情報と前記施設位置情報の内容と、前記登録地特定情報と前記施設特定情報の内容がともに一致しないことが前記判定手段により判定された対象登録地データを削除する削除手段をさらに備えることを特徴とする車載情報端末。
【請求項４】
請求項1乃至３のいずれか１項の車載情報端末において、
前記更新手段により前記登録地データを更新する前に、その更新内容を表示モニタに表示する表示制御手段と、
前記表示制御手段により前記表示モニタに表示された更新内容に対するユーザの確認結果が肯定または否認であるかを判断する判断手段とをさらに備え、
前記更新手段は、前記判断手段によりユーザの確認結果が肯定であると判断された場合は前記対象登録地データを更新し、否認であると判断された場合は前記対象登録地データを更新しないことを特徴とする車載情報端末。
【請求項５】
請求項1乃至４のいずれか1項の車載情報端末において、
前記登録地データ読み込み手段は、前記登録地データが予め記憶されたメモリカードが装填されるカードスロットであることを特徴とする車載情報端末。
【発明の詳細な説明】
【技術分野】
【０００１】
本発明は、ユーザに登録された登録情報を他の端末に移し替えることができる車載情報端末に関する。
【背景技術】
【０００２】
ユーザが自宅など特定の地点を登録地として予め登録しておき、その登録地から選択した地点を目的地に設定することにより、使用頻度の高い目的地について素早く設定できるようにしたナビゲーション装置が広く知られている。このようなナビゲーション装置において、メモリカードのような不揮発性の記憶媒体を用いて、登録地のデータを他のナビゲーション装置に移し替えることができるものが知られている（特許文献１）。
【０００３】
【特許文献１】特開平１１−８３５２７号公報
【発明の開示】
【発明が解決しようとする課題】
【０００４】
特許文献１に開示されるナビゲーション装置では、たとえばナビゲーション装置を古い物から新しい物に交換して地図データがバージョンアップされた場合などに、登録地データの移し替え前後で地図データの内容が変わっていることがある。そのため、登録した施設が無くなったり移転したりしていた場合は、登録地データ移し替え後の地図データにおいて、登録地に該当する施設が存在しないこととなる。
【課題を解決するための手段】
【０００５】
（１）請求項１の発明は、登録地の位置を表す登録地位置情報と、登録地の名称または電話番号のいずれか一方または両方を表す登録地特定情報とを少なくとも含み、ユーザにより登録地データ記憶媒体に予め登録された登録地データに基づいて目的地を選択することができる車載情報端末において、前記登録地データを外部から読み込む登録地データ読み込み手段と、施設の位置を表す施設位置情報と、施設の名称または電話番号のいずれか一方または両方を表す施設特定情報とを少なくとも含み、予め記憶されている施設データを読み込む施設データ読み込み手段と、前記登録地データ読み込み手段で読み込まれた登録地データと、前記施設データ読み込み手段で読み込まれた施設データとを比較する比較手段と、前記比較手段による比較結果に基づき、読み込まれた登録地データの中から選択された対象登録地データおよびこの対象登録地データと比較される比較施設データについて、前記登録地位置情報と前記施設位置情報の内容が一致するか否かを判定するとともに、前記登録地特定情報と前記施設特定情報の内容が一致するか否かを判定する判定手段と、前記登録地位置情報と前記施設位置情報の内容が一致せず、前記登録地特定情報と前記施設特定情報の内容が一致することが前記判定手段により判定された対象登録地データについては、その登録地位置情報の内容を前記比較施設データの施設位置情報に合わせて補正することにより、前記対象登録地データを更新する更新手段と、前記更新手段により更新された登録地データを前記登録地データ記憶媒体に記憶する記憶制御手段とを備えることを特徴とする。
（２）請求項２の発明は、請求項1の車載情報端末において、前記更新手段は、前記登録地位置情報と前記施設位置情報の内容が一致し、前記登録地特定情報と前記施設特定情報の内容が一致しないことが前記判定手段により判定された対象登録地データについて、その登録地特定情報の内容を、前記比較施設データの施設特定情報に合わせて補正することにより、当該対象登録地データを更新することを特徴とする。
（３）請求項３の発明は、請求項１または２の車載情報端末において、前記登録地位置情報と前記施設位置情報の内容と、前記登録地特定情報と前記施設特定情報の内容がともに一致しないことが前記判定手段により判定された対象登録地データを削除する削除手段をさらに備えることを特徴とする。
（４）請求項４の発明は、請求項1乃至３のいずれか１項の車載情報端末において、前記更新手段により前記登録地データを更新する前に、その更新内容を表示モニタに表示する表示制御手段と、前記表示制御手段により前記表示モニタに表示された更新内容に対するユーザの確認結果が肯定または否認であるかを判断する判断手段とをさらに備え、前記更新手段は、前記判断手段によりユーザの確認結果が肯定であると判断された場合は前記対象登録地データを更新し、否認であると判断された場合は前記対象登録地データを更新しないことを特徴とする。
（５）請求項５の発明は、請求項1乃至４のいずれか1項の車載情報端末において、前記登録地データ読み込み手段は、前記登録地データが予め記憶されたメモリカードが装填されるカードスロットであることを特徴とする。
【発明の効果】
【０００６】
本発明によれば、登録地データを移し替えた後の地図データに合わせて、登録地データを更新することができる。
【発明を実施するための最良の形態】
【０００７】
本発明の一実施形態によるナビゲーション装置の構成を図１に示す。ナビゲーション装置１とナビゲーション装置２は、同じ構成を有しており、不揮発性の可般型記憶媒体であるメモリカード３を挿し換えて交換することにより、メモリカード３を介して登録地データを移し替えることができる。以下ではナビゲーション装置１の構成について説明し、ナビゲーション装置２は同じ構成であるため説明を省略する。
【０００８】
ナビゲーション装置１は、メモリカードスロット１０、制御回路１１、ＲＯＭ１２、ＲＡＭ１３、現在地検出装置１４、フラッシュメモリ１５、表示モニタ１６、入力装置１７およびディスクドライブ１８を有している。メモリカードスロット１０には、メモリカード３が装填される。ディスクドライブ１８には、地図データが記録されたＤＶＤ−ＲＯＭ１９が装填される。
【０００９】
制御回路１１は、マイクロプロセッサおよびその周辺回路からなり、ＲＡＭ１３を作業エリアとしてＲＯＭ１２に格納された制御プログラムを実行することにより、各種の処理や制御を行う。この制御回路１１において、ＤＶＤ−ＲＯＭ１９に記録された地図データに基づいて、設定された目的地までの推奨経路の探索処理など、様々な処理が行われる。
【００１０】
現在地検出装置１４は、自車両の現在地を検出する装置であり、たとえば、自車両の進行方向を検出する振動ジャイロ１４ａ、車速を検出する車速センサ１４ｂ、ＧＰＳ衛星からのＧＰＳ信号を検出するＧＰＳセンサ１４ｃ等からなる。ナビゲーション装置１は、この現在地検出装置１４により検出された自車両の現在地に基づいて、推奨経路を探索するときの経路探索開始点を決定することができる。
【００１１】
フラッシュメモリ１５は、ナビゲーション装置１の電源が切断されてもその記憶内容を保持できる不揮発性のメモリである。フラッシュメモリ１５には、ユーザによって登録された登録地データが記憶される。ユーザは、特定の地点を地図上で指定し、その地点を登録地として予め登録しておくことができる。各登録地の名称は、地図データに基づいて自動的に対応する地名や施設名などが付与されるが、たとえば「自宅」などのように、ユーザが任意の名称を付与することもできる。
【００１２】
フラッシュメモリ１５により記憶された登録地データは、ユーザの操作によって目的地の設定時に呼び出し、いずれかの登録地を目的地として選択することができる。なお、後述するようにＤＶＤ−ＲＯＭ１９の代わりにハードディスクから地図データを読み出す場合には、フラッシュメモリ１５を使用せず、そのハードディスクに登録地データを記録することとしてもよい。
【００１３】
表示モニタ１６は、ＤＶＤ−ＲＯＭ１９に記録されている地図データ等に基づいて制御回路１１により作成される画像データを用いて、地図画像などの様々な画像を表示する。入力装置１７は、登録地の設定や推奨経路を探索するための目的地設定など、様々な操作入力をユーザが行うための各種の入力スイッチを有している。この入力装置１７は、操作パネルやリモコンなどによって実現される。ユーザは、表示モニタ１６に表示される画面指示に従って入力装置１７を適宜操作することで、各種処理をナビゲーション装置１に実行させることができる。
【００１４】
ディスクドライブ１８は、装填されたＤＶＤ−ＲＯＭ１９より地図データを読み出す。地図データには、目的地までのルート探索に用いられる経路計算データや、交差点名称および道路名称など、推奨経路に従って自車両を目的地まで誘導するために用いられる経路誘導データ、道路を表す道路データなどが含まれている。また、各種施設や河川、鉄道など、道路以外の地図形状を表す背景データなども地図データに含まれている。さらに、各種施設の位置や名称、電話番号、施設の種類などを表す施設データも地図データに含まれている。
【００１５】
道路データにおいて、道路区間を表す最小単位はリンクと呼ばれており、各道路は複数のリンクによって構成されている。リンク同士を接続している点はノードと呼ばれ、このノードはそれぞれに位置情報（座標情報）を有している。このノードの位置情報によって、リンク形状、すなわち道路の形状が決定される。なお、ここではＤＶＤ−ＲＯＭを用いた例について説明しているが、ＤＶＤ−ＲＯＭ以外の他の記録メディア、たとえばＣＤ−ＲＯＭやハードディスクなどより、地図データを読み出すこととしてもよい。
【００１６】
ユーザが入力装置１７を操作して目的地を設定すると、ナビゲーション装置１は、現在地検出装置１４により検出された現在地を経路探索開始点として、前述の経路計算データに基づいて所定のアルゴリズムの演算を行うことにより、現在地から目的地までのルート探索を行う。ルート探索の結果求められた推奨経路は、その表示形態、たとえば表示色などを変えることによって、他の道路とは区別して地図上に表される。これにより、ユーザは推奨経路を表示モニタ１６に表示された地図上において認識することができる。また、この推奨経路に従って自車両が走行できるよう、ナビゲーション装置１は、ユーザに対して画像や音声などによる進行方向指示を行うことにより、自車両を誘導する。このように、地図上に表示された推奨経路に従って自車両を目的地まで誘導することにより、目的地までのルート案内が行われる。
【００１７】
図２は、フラッシュメモリ１５に記憶されている登録地データの例である。ここでは、「自宅」、「Ｔドーム」、「Ｏドーム」、「Ｄランド」、「Ｓランド」および「Ｍ病院」の合計６ヶ所の登録地データが記録されている例を示している。図２に示すように、登録地データには各登録地の名称と、各登録地の地図上の位置を表す座標値と、各登録地の種別を表すグループ番号（Ｇｒ）と、各登録地の電話番号が記録されている。なお、登録地が何らかの施設に該当する場合は、地図データに含まれる施設データに基づいて、その登録地データの内容を自動的に決定することができる。
【００１８】
登録地から目的地を設定する際には、最初に登録地の一覧が表示され、その一覧からいずれかの登録地がユーザに選択されると、その登録地の位置が表示される。その後、選択された目的地を登録地に設定するか否かがユーザによって選択される。
【００１９】
メモリカード３がメモリカードスロット１０に装填されると、ナビゲーション装置１とメモリカード３が接続される。この状態で、入力装置１７を用いて所定のメニュー操作がユーザにより行われると、図２の登録地データがメモリカード３に記録される。こうしてナビゲーション装置１からナビゲーション装置２へ登録地データを移し替えるために、フラッシュメモリ１５の登録地データをメモリカード３に記録することを「エクスポート」という。
【００２０】
登録地データがメモリカード３に記録された後、ユーザがそのメモリカード３をナビゲーション装置１からナビゲーション装置２へ挿し換えると、エクスポートされた図２の登録地データがナビゲーション装置２に取り込まれる。こうしてエクスポートされた登録地データをメモリカード３から読み出してナビゲーション装置２に取り込むことを「インポート」という。インポートされた登録地データは、ナビゲーション装置２のフラッシュメモリ２５によって記憶される。このようにして、ナビゲーション装置１からナビゲーション装置２への登録地データの移し替えが行われる。
【００２１】
ナビゲーション装置２において登録地データをインポートする際には、その登録地データをＤＶＤ−ＲＯＭ２９に記録された地図データ中の施設データと照合することにより、両者のデータ内容を比較する。このとき、施設データにおいて何らかの施設として表されている登録地（以下、登録施設という）のみを比較対象とする。登録施設に該当しない登録地については、比較することができない。図２の登録地データの例では、各登録地のうち「Ｔドーム」、「Ｏドーム」、「Ｄランド」、「Ｓランド」および「Ｍ病院」の各登録施設については、そのデータ内容が施設データと比較される。しかし、登録施設に該当しない「自宅」については、施設データとの比較は行われない。
【００２２】
両者のデータ内容を比較した結果、いずれかの登録施設について登録地データと施設データの内容が一致しない場合は、その登録施設の登録地データの内容を施設データに合わせて更新する。このようにすることで、ナビゲーション装置２にインポートされた登録地データを施設データに基づいて正しい内容とすることができる。たとえば、地図データのバージョンアップ等により、ナビゲーション装置１の施設データでは存在している施設が、ナビゲーション装置２の施設データにおいて消滅していたり、あるいは違う場所に移転していたりする場合がある。このような施設が登録施設としてナビゲーション装置１に登録されていた場合、その登録地データがナビゲーション装置２にインポートされたときに、登録地データの内容がナビゲーション装置２の施設データに合わせて更新される。
【００２３】
以上説明したように、ナビゲーション装置２において登録地データの内容を施設データに合わせて更新する際には、各登録施設に対する登録地データと施設データの比較結果に応じて、様々な画面が表示モニタ２６に表示される。その例を図３〜８に示す。
【００２４】
図３は、登録地データと施設データにおいて登録施設の名称や電話番号は一致するが、座標点が一致していない場合、すなわち登録施設が移転された場合に表示される画面例である。このような画面を、以下では「位置変更画面」と称する。ここでは、図２の登録施設のうち「Ｍ病院」について表示される位置変更画面を示している。画面の左側上段には更新前の登録地データ内容が表示され、左側下段には更新後の登録地データ内容が表示される。このとき、一致しない部分、すなわち座標値のみを他とは違う表示形態とすることにより、ユーザがその部分を分かりやすいようにしてもよい。たとえば、文字の色彩や太さを変えたり、点滅表示したりすることができる。これ以降で説明する画面例においても同様である。
【００２５】
図３の位置変更画面の右側には、更新前および更新後の登録施設の位置が地図上にそれぞれ表示される。符号３１に示すマークは更新前の登録施設の位置を表し、符号３２に示すマークは更新後の登録施設の位置を表している。なお、この画面を表示する際には、マーク３１とマーク３２を両方同時に地図上に表示できるような地図縮尺がナビゲーション装置２において自動的に設定される。あるいは、画面を二分割し、それぞれにマーク３１とマーク３２を別々に表示することとしてもよい。
【００２６】
図３の位置変更画面が表示された後は、図４に示すような画面が表示される。この画面では、インポートされた登録地データの登録施設とナビゲーション装置２の施設データの場所が違うことをユーザに通知するとともに、インポートされた登録地データの内容を更新するか否かをユーザに選択させる。入力装置２７の操作により、ユーザが「はい」と書かれたボタン４１を選択した場合は、その登録施設について登録地データの内容を施設データに合わせて更新した上で、フラッシュメモリ２５に記憶させる。ユーザが「いいえ」と書かれたボタン４２を選択した場合は、そのまま登録地データを更新せずに、フラッシュメモリ２５に記憶させる。
【００２７】
図５は、登録地データと施設データにおいて登録施設の座標点は一致するが、名称と電話番号が一致していない場合、すなわち登録施設が変更された場合に表示される画面例である。このような画面を、以下では「施設変更画面」と称する。この施設変更画面の右側には、更新前後の登録施設の位置がマーク３１によって同じ位置に表示される。
【００２８】
図５の施設変更画面が表示された後は、図６に示すような画面が表示される。この画面では、インポートされた登録地データの登録施設とナビゲーション装置２の施設データの施設が違うことをユーザに通知するとともに、インポートされた登録地データの内容を更新するか否かをユーザに選択させる。図４の画面と同様に、「はい」と書かれたボタン４１が選択された場合は、その登録施設について登録地データの内容を施設データに合わせて更新し、フラッシュメモリ２５に記憶させる。「いいえ」と書かれたボタン４２が選択された場合は、そのまま登録地データを更新せずにフラッシュメモリ２５に記憶させる。
【００２９】
図７は、登録施設に一致する施設がない場合に表示される画面例である。登録地データと施設データにおいて登録施設の座標点、名称、電話番号のいずれも一致しない場合は、一致する登録施設がないと判断される。このような画面を、以下では「該当施設なし画面」と称する。この該当施設なし画面の右側には、更新前の登録施設の位置がマーク３１によって表示される。
【００３０】
図７の該当施設なし画面が表示された後は、図８に示すような画面が表示される。この画面では、インポートされた登録地データの登録施設に該当する施設がナビゲーション装置２の施設データには既に無いことをユーザに通知するとともに、インポートされた登録地データの内容を更新するか否かをユーザに選択させる。「はい」と書かれたボタン４１が選択された場合は、その登録施設についての登録地データを削除することにより、登録地データの内容を施設データに合わせて削除して、フラッシュメモリ２５に記憶させる。「いいえ」と書かれたボタン４２が選択された場合は、そのまま登録地データを削除せずにフラッシュメモリ２５に記憶させる。
【００３１】
なお、登録地データと施設データにおいて登録施設の座標点が異なっており、名称と電話番号のいずれか一方のみが一致する場合は、一致する登録施設がないと判断して図７の該当施設なし画面を表示してもよいし、あるいは、登録施設が移転されたと判断して図３の位置変更画面を表示してもよい。また、登録地データと施設データにおいて登録施設の座標点が一致しており、名称と電話番号のいずれか一方が異なっている場合は、同じ登録施設であると判断してもよいし、あるいは、異なる登録施設であると判断して図５の施設変更画面を表示するようにしてもよい。
【００３２】
上記において、名称と電話番号のどちらが一致するかによって判断結果を変えることもできる。たとえば、登録施設と名称のみが一致し、電話番号および座標点が異なる施設が存在する場合は、別の施設であると判断して該当施設なし画面を表示することとし、登録施設と電話番号のみが一致し、電話番号および名称が異なる施設が存在する場合は、同じ施設であると判断して位置変更画面を表示する。さらに、登録地データと施設データにおけるグループ番号や、座標点の位置関係などを加味して、どちらの画面を表示するか判断してもよい。
【００３３】
以上説明したように、ナビゲーション装置２において登録地データの内容を施設データに合わせて更新した上で、その登録地データをインポートするときに実行されるフローチャートを図９に示す。このフローチャートは、ナビゲーション装置１からエクスポートされた登録地データを記録されたメモリカード３がメモリカードスロット２０に装填されているときに、制御回路２１によって実行される。
【００３４】
ステップＳ１０では、ナビゲーション装置１からエクスポートされ、メモリカード３に記録された登録地データをメモリカード３から読み出す。これにより、登録地データがナビゲーション装置２に入力される。次のステップＳ２０では、ステップＳ１０で入力された登録地データにおいて、いずれかの登録施設を選択する。ステップＳ３０では、ステップＳ１０で入力された登録地データを、ＤＶＤ−ＲＯＭ２９に記録され、ディスクドライブ２８によって読み込まれた地図データ中の施設データと比較する。
【００３５】
ステップＳ４０では、ステップＳ３０の比較結果に基づいて、選択した登録施設の座標が登録地データと施設データにおいて一致するか否かを判定する。一致しない場合はステップＳ５０へ進み、一致する場合はステップＳ６０へ進む。
【００３６】
ステップＳ５０では、ステップＳ３０の比較結果に基づいて、選択した登録施設の名称と電話番号が登録地データと施設データにおいて一致するか否かを判定する。一致しない場合はステップＳ７０へ進む。これは、選択した登録施設に一致する施設が施設データにおいて存在しない場合に相当する。一方、選択した登録施設の名称と電話番号が登録地データと施設データにおいて一致する場合はステップＳ１００へ進む。これは、登録施設が移転された場合に相当する。
【００３７】
ステップＳ６０では、ステップＳ５０と同様に、ステップＳ３０の比較結果に基づいて、選択した登録施設の名称と電話番号が登録地データと施設データにおいて一致するか否かを判定する。一致しない場合はステップＳ１３０へ進む。これは、登録施設が変更された場合に相当する。一方、選択した登録施設の名称と電話番号が登録地データと施設データにおいて一致する場合、すなわち登録地データと施設データの内容が全て一致する場合はステップＳ１６０へ進む。
【００３８】
ステップＳ７０へ進んだ場合、ステップＳ７０では、図７の該当施設なし画面を表示モニタ２６に表示する。さらに続けて、図８の画面を表示する。ステップＳ８０では、図８の画面におけるユーザの操作入力に応じて、ユーザ確認結果がＯＫであるか否かを判断する。すなわち、入力装置２７の操作によってボタン４１が押された場合は、ユーザ確認結果がＯＫである（肯定）と判断し、ステップＳ９０へ進む。一方、ボタン４２が押された場合は、ユーザ確認結果がＯＫではない（否認）と判断し、ステップＳ９０を実行せずにステップＳ１６０へ進む。
【００３９】
ステップＳ９０では、ステップＳ１０で読み出した登録地データから、選択した登録施設に関するデータ内容を削除する。これにより、その登録施設について登録地データの内容が施設データに合わせて更新される。ステップＳ９０を実行したら、ステップＳ１６０へ進む。
【００４０】
ステップＳ１００へ進んだ場合、ステップＳ１００では、図３の位置変更画面を表示モニタ２６に表示する。さらに続けて、図４の画面を表示する。ステップＳ１１０では、図４の画面におけるユーザの操作入力に応じて、ユーザ確認結果がＯＫであるか否かを判断する。ボタン４１が押された場合はユーザ確認結果がＯＫである（肯定）と判断し、ステップＳ１２０へ進む。ボタン４２が押された場合はユーザ確認結果がＯＫではない（否認）と判断し、ステップＳ１２０を実行せずにステップＳ１６０へ進む。
【００４１】
ステップＳ１２０では、ステップＳ１０で読み出した登録地データのうち選択した登録施設の座標値を、地図データ中の施設データ内容に合わせて補正する。これにより、登録地データの内容が施設データに合わせて更新される。ステップＳ１２０を実行したら、ステップＳ１６０へ進む。
【００４２】
ステップＳ１３０へ進んだ場合、ステップＳ１３０では、図５の施設変更画面を表示モニタ２６に表示する。さらに続けて、図６の画面を表示する。ステップＳ１４０では、図６の画面におけるユーザの操作入力に応じて、ユーザ確認結果がＯＫか否かを判断する。ボタン４１が押された場合はユーザ確認結果がＯＫである（肯定）と判断し、ステップＳ１５０へ進む。ボタン４２が押された場合はユーザ確認結果がＯＫではないと判断し、ステップＳ１５０を実行せずにステップＳ１６０へ進む。
【００４３】
ステップＳ１５０では、ステップＳ１０で読み出した登録地データのうち選択した登録施設の名称と電話番号を、地図データ中の施設データ内容に合わせて補正する。これにより、登録地データの内容が施設データに合わせて更新される。ステップＳ１５０を実行したら、ステップＳ１６０へ進む。
【００４４】
ステップＳ１６０では、ステップＳ１０で読み出した登録地データに含まれる全ての登録施設をステップＳ２０において選択したか否かを判定する。全ての登録施設を選択済みである場合はステップＳ１７０へ進み、登録地データをフラッシュメモリ２５に書き込む。こうして書き込まれた登録地データがフラッシュメモリ２５によって記憶される。ステップＳ１７０を実行したら図９のフローチャートを終了する。このようにして、登録地データが施設データに合わせて更新され、ナビゲーション装置２にインポートされる。一方、まだ選択していない登録施設がある場合はステップＳ２０へ戻り、ステップＳ２０においてその未選択の登録施設のうちいずれかを選択してから、上記に説明したような処理を繰り返す。
【００４５】
以上説明した実施の形態によれば、次の作用効果を奏する。
（１）メモリカードスロット２０にメモリカード３が装填され、ナビゲーション装置２とメモリカード３が接続された状態で、ナビゲーション装置１においてユーザによって予め登録された登録地データを、メモリカード３を介して入力する。そして、入力されたその登録地データと、ディスクドライブ２８によってＤＶＤ−ＲＯＭ２９から読み込まれた地図データ中の施設データとを比較する（ステップＳ３０）。この比較結果に基づいて、ステップＳ９０、Ｓ１２０またはＳ１５０のいずれかの処理ステップにより、入力された登録地データを更新する。こうして更新された登録地データをフラッシュメモリ２５に書き込んで記憶するようにした（ステップＳ１７０）。このようにしたので、登録地データを移し替えた後のナビゲーション装置２の地図データに合わせて、登録地データを更新することができる。
【００４６】
（２）ステップＳ３０における登録地データと施設データの比較結果に基づいて、施設に該当する登録地の各々について、座標が一致するか否かを判定する（ステップＳ４０）とともに、名称と電話番号が一致するか否かを判定する(ステップＳ５０、Ｓ６０)。これらの判定結果に基づいて、ステップＳ９０、Ｓ１２０またはＳ１５０のいずれかの処理ステップを実行し、入力された登録地データを更新することとした。このようにしたので、登録地データと施設データの比較結果に応じて、適切な方法で登録地データを更新することができる。
【００４７】
（３）ステップＳ４０において座標が一致しないと判定され、ステップＳ５０において名称と電話番号が一致すると判定された場合は、その登録施設の座標値を施設データに合わせて補正する（ステップＳ１２０）ことにより、入力された登録地データを更新することとした。このようにしたので、登録施設が移転された場合に登録地データを正しく更新することができる。
【００４８】
（４）ステップＳ４０において座標が一致すると判定され、ステップＳ６０において名称と電話番号が一致しないと判定された場合は、その登録施設の名称と電話番号を施設データに合わせて補正する（ステップＳ１５０）ことにより、入力された登録地データを更新することとした。このようにしたので、登録施設が変更された場合に登録地データを正しく更新することができる。
【００４９】
（５）ステップＳ４０において座標が一致しないと判定され、ステップＳ５０において名称と電話番号が一致しないと判定された場合は、その登録施設に関する登録地データを削除する（ステップＳ９０）ことにより、入力された登録地データを更新することとした。このようにしたので、登録施設に一致する施設が施設データにおいて存在しない場合に登録地データを正しく更新することができる。
【００５０】
（６）ステップＳ９０、Ｓ１２０またはＳ１５０のいずれかの処理ステップによって入力された登録地データを更新する前に、その更新内容を示す該当施設なし画面、位置変更画面または施設変更画面のいずれかを表示モニタ２６に表示する（ステップＳ７０、Ｓ１００、Ｓ１３０）。そして、これに対するユーザの確認結果が肯定または否認のいずれであるかを判断し（ステップＳ８０、Ｓ１１０、Ｓ１４０）、肯定であると判断された場合はステップＳ９０、Ｓ１２０またはＳ１５０を実行して登録地データを更新する。否認であると判断された場合はステップＳ９０、Ｓ１２０またはＳ１５０を実行せずに登録地データを更新しないこととした。このようにしたので、登録地データを更新する前にその更新内容をユーザが確認することができ、さらに、ユーザが希望する場合のみ更新し、希望しない場合には更新しないことができる。
【００５１】
なお、上記の実施の形態では、登録地データにおいて各登録地の座標点、名称および電話番号が記録されるとともに、施設データにおいて各施設の座標点、名称および電話番号が記録されていることとし、これによって各登録施設の座標点、名称および電話番号を比較する例を説明した。しかし、登録地データと施設データにはこれら全ての情報が含まれていなくてもよい。あるいは、これら以外の情報が含まれていてもよい。すなわち、任意の情報を登録地データと施設データに含ませて比較することができる。
【００５２】
さらに、上記の情報のうち名称と電話番号については、いずれか一方のみを記録および比較の対象とすることができる。すなわち、登録地データは、各登録地の位置を表すための座標点（登録地位置情報）と、各登録地を特定するための名称または電話番号のいずれか一方または両方（登録地特定情報）とを含み、施設データは、各施設の位置を表すための座標点（施設位置情報）と、各施設を特定するための名称または電話番号のいずれか一方または両方（施設特定情報）とを含むものとすることができる。そして、登録地位置情報と施設位置情報の内容が一致するか否かを図９のステップＳ４０において判定し、登録地特定情報と施設特定情報の内容が一致するか否かをステップＳ５０またはＳ６０において判定する。
【００５３】
また、上記の実施の形態では、メモリカード３を介して登録地データを移し替える例を説明したが、その他のものを介して登録地データを移し替えるようにしてもよい。たとえば、ナビゲーション装置１とナビゲーション装置２をケーブルによって接続し、そのケーブルを介して登録地データを移し替えるようにしてもよい。あるいは、ナビゲーション装置１とナビゲーション装置２の間にパーソナルコンピュータを接続し、そのパーソナルコンピュータを介して登録地データを移し替えるようにしてもよい。それ以外にも、たとえば磁気ディスクを用いたり、あるいは電波や赤外線を用いた無線通信を介して接続したりするなど、様々な方法で登録地データを移し替えることができる。
【００５４】
以上説明した各実施の形態や各種の変形例はあくまで一例であり、発明の特徴が損なわれない限り、本発明はこれらの内容に限定されない。
【００５５】
以上説明した各実施の形態では、施設データ読み込み手段をディスクドライブ２８、記憶手段をフラッシュメモリ２５によってそれぞれ実現し、それ以外の各手段を制御回路２１の処理によって実現している。具体的には、比較手段をステップＳ３０、第１の判定手段をステップＳ４０、第２の判定手段をステップＳ５０またはＳ６０、表示制御手段をステップＳ７０、Ｓ１００またはＳ１３０、判断手段をステップＳ８０、Ｓ１１０またはＳ１４０、更新手段をステップＳ９０、Ｓ１２０またはＳ１５０の処理によってそれぞれ実現している。しかし、これはあくまで一例であり、発明を解釈する際、上記の各実施形態の記載事項と特許請求の範囲の記載事項の対応関係には何ら限定も拘束もされない。
【図面の簡単な説明】
【００５６】
【図１】本発明の一実施形態によるナビゲーション装置の構成を示す図である。
【図２】登録地データの例を示す図である。
【図３】登録施設が移転された場合に表示される位置変更画面の例である。
【図４】位置変更画面の後に表示される選択画面の例である。
【図５】登録施設が変更された場合に表示される施設変更画面の例である。
【図６】施設変更画面の後に表示される選択画面の例である。
【図７】登録施設に一致する施設がない場合に表示される該当施設なし画面の例である。
【図８】該当施設なし画面の後に表示される選択画面の例である。
【図９】登録地データの内容を施設データに合わせて更新した上で、その登録地データをインポートするときに実行されるフローチャートである。
【符号の説明】
【００５７】
１、２：ナビゲーション装置
３：メモリカード
１０、１１：メモリカードスロット
１１、２１：制御回路
１２、２２：ＲＯＭ
１３、２３：ＲＡＭ
１４、２４：現在地検出装置
１５、２５：フラッシュメモリ
１６、２６：表示モニタ
１７、２７：入力装置
１８、２８：ディスクドライブ
１９、２９：ＤＶＤ−ＲＯＭ
【図１】
0004776286.tif 000002
【図２】
0004776286.tif 000003
【図３】
0004776286.tif 000004
【図４】
0004776286.tif 000005
【図５】
0004776286.tif 000006
【図６】
0004776286.tif 000007
【図７】
0004776286.tif 000008
【図８】
0004776286.tif 000009
【図９】
0004776286.tif 000010